(57)【要約】      （修正有）【課題】使用における優れた機能性及び変化性を有するボディ用音声制御機器を提供する。【解決手段】本ボディ用音声制御機器構造において、音声信号制御変換装置の信号切換ユニットでは音声情報装置の音声信号入力源を選択し、並びに、マイクロコンピュータ周波数及び信号検出ユニットによって、入力信号の周波数及び信号の大きさを電気エネルギーに変換して演算し、更に、演算後の結果を信号制御回路ユニットの電圧制御回路及び周波数制御回路に伝送し、電極伝導装置に出力する電気エネルギーの大きさ及び周波数を制御することにより、電気エネルギーの出力電流と周波数を、音楽の起伏及び現場環境のノイズ変化に合わせて変化させ、使用における優れた機能性及び変化性を達成する。【選択図】図１
0003169714.tif 000002
【実用新案登録請求の範囲】
【請求項１】
信号切換ユニットと、マイクロコンピュータ周波数及び信号検出ユニットと、信号制御回路ユニットとを含み、前記各ユニット間は電気的に接続する音声信号制御変換装置と、
前記音声信号制御変換装置に電気的に接続する音声情報装置と、
音声信号制御変換装置と電気的に接続する電極伝導装置とを備えることを特徴とするボディ用音声制御機器。
【請求項２】
前記マイクロコンピュータ周波数及び信号検出ユニットは、ディスプレイユニットに接続することを特徴とする請求項１に記載のボディ用音声制御機器。
【請求項３】
前記信号制御回路ユニットには、電圧制御回路と周波数制御回路とを配置することを特徴とする請求項１に記載のボディ用音声制御機器。
【請求項４】
前記音声情報装置は、音声受信マイク装置とすることを特徴とする請求項１に記載のボディ用音声制御機器。
【請求項５】
前記音声情報装置は、音楽再生器装置とすることを特徴とする請求項１に記載のボディ用音声制御機器。
【請求項６】
前記音声信号制御変換装置の信号切換ユニット前端には無線受信器装置を配置し、音声情報装置は無線発信装置とすることを特徴とする請求項１に記載のボディ用音声制御機器。
【請求項７】
前記無線発信装置には無線送信機を配置し、無線送信機には無線マイクを接続し、無線発信装置によって信号を音声信号制御変換装置の無線受信器装置に伝送することを特徴とする請求項６に記載のボディ用音声制御機器。
【請求項８】
前記無線送信機は、無線音響に接続し、無線発信装置によって、信号を音声信号制御変換装置の無線受信器装置に伝送することを特徴とする請求項７に記載のボディ用音声制御機器。
【考案の詳細な説明】
【技術分野】
【０００１】
本考案は、特に、電極伝導装置に属する技術分野に応用するボディ用音声制御機器に関する。
【背景技術】
【０００２】
現在、一般に知られる電極伝導装置は、制御器及び複数の粘着式電極によって構成され、複数の粘着式電極は、導線で制御器に接続し、制御器を経て生じた低周波の電流信号は、粘着式電極に伝えられ、さらに、粘着した使用者の皮膚に伝えられる。しかし、これには、次のような問題点が存在する。
（１）使用における機能性の不足：前記制御器は、粘着式電極に伝える電流強度及び周波数をコントロールするもので、実際の使用状況に応じて調整や変化させることは不可能である。よって、その使用機能性には不足点がみられる。
（２）使用における変化性の不足：前記制御器は、粘着式電極に伝える電流強度及び周波数をコントロールするもので、音楽の旋律或いは外部の音声情報に合わせて電流強度及び周波数を制御できない。よって、使用変化性には不足点がみられる。
【考案の概要】
【考案が解決しようとする課題】
【０００３】
本考案は、公知の電極伝導装置において使用上の機能性及び変化性が不足している問題点に鑑み、本考案のボディ用音声制御機器を提供することを主な目的とする。
【課題を解決するための手段】
【０００４】
本考案の提供するボディ用音声制御機器において、音声信号制御変換装置は、音声情報装置及び電極伝導装置と電気的に接続し、音声信号制御変換装置の信号切換ユニットを用いて、音声情報装置の音声信号入力源を選択し、並びに、マイクロコンピュータ周波数及び信号検出ユニットによって、入力信号の周波数及び信号の大きさを電気エネルギーに変換して演算し、更に、演算後の結果を信号制御回路ユニットの電圧制御回路及び周波数制御回路に伝送し、電極伝導装置に出力する電気エネルギーの大きさ及び周波数を制御する。また、音声信号制御変換装置の信号切換ユニットの前端に、無線受信器装置を配置することも可能とし、音声情報装置は無線発信装置とし、無線発信装置には、無線送信機を配置し、無線送信機は無線マイクまたは無線音響を接続し、無線発信装置を通して信号を音声信号制御変換装置の無線受信器装置に伝送し、後続する演算及び出力を行い、電気エネルギーの出力電流及び周波数を、音楽の起伏及び現場環境のノイズ変化に応じて変化させて、使用上の機能性及び変化性に好ましい効果を達成する。
【考案の効果】
【０００５】
本考案のボディ用音声制御機器は、次のような効果を奏する。
（１）使用上の優れた機能性：音声信号制御変換装置は、音声情報装置の音声受信マイク装置、音楽再生器装置、或いは無線発信装置を受信することにより、電気エネルギーの出力電流と周波数を、音楽の起伏及び現場環境のノイズ変化に合わせて変化させるため、使用において優れた機能性を発揮する。
（２）使用上の優れた変化性：音声信号制御変換装置の信号切換ユニットは、音声情報装置の音声信号入力源を選択し、並びに、マイクロコンピュータ周波数及び信号検出ユニットによって、入力信号の周波数及び信号の大きさを電気エネルギーに変換して演算し、さらに演算後の結果を信号制御回路ユニットの電圧制御回路及び周波数制御回路に伝送し、電極伝導装置に出力する電気エネルギーの大きさと周波数を制御することにより、電気エネルギーの出力電流と周波数を、音楽の起伏及び現場環境のノイズ変化に合わせて変化させるため、使用において優れた変化性を発揮する。
【図面の簡単な説明】
【０００６】
【図１】本考案の全体構成のブロック図である。
【図２】本考案の音声信号制御変換装置に関する細部構成図である。
【図３】本考案の信号制御回路ユニットに関する細部構成図である。
【図４】本考案の音声情報装置に関する細部構成図である。
【図５】本考案の実施例の無線音声情報装置に関する細部構成図である。
【図６】本考案の使用状態図である。
【考案を実施するための形態】
【０００７】
貴審査委員の方々に本考案の構造、特徴及びその他の目的をご理解いただくために、次に、図面を参考とした好ましい実施例に基づく詳細説明を行なう。但し、本考案において開示する実施例は、説明のために用いるものであり、実用新案の出願範囲を制限するものではないことをここに明記する。
【実施例】
【０００８】
図１乃至図４及び図６には、本考案のボディ用音声制御機器の全体構成、音声信号制御変換装置の細部、信号制御回路ユニットの細部、音声情報装置の細部構成、及び使用状態図を示し、それらには、音声信号制御変換装置１０と、音声情報装置２０と、電極伝導装置３０の構成要素を含む。
【０００９】
音声信号制御変換装置１０には、信号切換ユニット１１と、マイクロコンピュータ周波数及び信号検出ユニット１２と、信号制御回路ユニット１３とを含む。前記各ユニット間は電気的に接続し、マイクロコンピュータ周波数及び信号検出ユニット１２は、ディスプレイユニット１２０に接続する。また、信号制御回路ユニット１３には、電圧制御回路１３０及び周波数制御回路１３１を配置する。
【００１０】
音声情報装置２０は、音声受信マイク装置２１または音楽再生器装置２２とし、音声情報装置２０は、音声信号制御変換装置１０と電気的に接続する。
【００１１】
電極伝導装置３０は、音声信号制御変換装置１０と電気的に接続し、電極伝導装置３０は導電電極片とする。
【００１２】
前述の構造を組み合わせることにより、本考案のボディ用音声制御機器は完成する。
【００１３】
図２乃至図４には、本考案のボディ用音声制御機器における音声信号制御変換装置の細部、信号制御回路ユニットの細部、音声情報装置の細部構成図を示す。前記音声信号制御変換装置１０は、音声情報装置２０及び電極伝導装置３０と電気的に接続し、音声信号制御変換装置１０の信号切換ユニット１１によって、音声情報装置２０の音声信号入力源を選択し、マイクロコンピュータ周波数及び信号検出ユニット１２によって、入力信号の周波数及び信号の大きさを電気エネルギーに変換して演算し、並びに、マイクロコンピュータ周波数及び信号検出ユニット１２のディスプレイユニット１２０によって、データの検索と制御を行い、さらに、演算後の結果を信号制御回路ユニット１３の電圧制御回路１３０と周波数制御回路１３１に伝送し、電極伝導装置３０に出力する電気エネルギーの大きさと周波数を制御して、後続する演算及び出力を行い、これにより、電気エネルギーの出力電流と周波数を音楽の起伏及び現場環境のノイズ変化に応じて変化させ、使用上の機能性及び変化性に好ましい効果を達成する。
【００１４】
図２及び図５には、本考案のボディ用音声制御機器における音声信号制御変換装置の細部構成と、実施例の無線音声情報装置の細部構成図を示す。音声信号制御変換装置１０の信号切換ユニット１１の前端には、無線受信器装置１４を配置し、音声情報装置２０は無線発信装置２３とし、無線発信装置２３には無線送信機２３０を備え、無線送信機２３０には無線音声受信マイク２３１または無線音響２３２を接続し、無線発信装置２３によって信号を音声信号制御変換装置１０の無線受信器装置１４に伝え、後続する演算及び出力を行い、これにより、電気エネルギーの出力電流と周波数を、音楽の起伏及び現場環境のノイズ変化に合わせて変化させ、使用上の機能性と変化性に好ましい効果を達成する。
【００１５】
また、本考案の特徴は、次の通りである。
（１）使用上の優れた機能性：音声信号制御変換装置は、音声情報装置の音声受信マイク装置、音楽再生器装置、或いは無線発信装置を受信することにより、電気エネルギーの出力電流と周波数を、音楽の起伏及び現場環境のノイズ変化に合わせて変化させるため、使用において優れた機能性を発揮する。
（２）使用上の優れた変化性：音声信号制御変換装置の信号切換ユニットは、音声情報装置の音声信号入力源を選択し、並びに、マイクロコンピュータ周波数及び信号検出ユニットによって、入力信号の周波数及び信号の大きさを電気エネルギーに変換して演算し、さらに演算後の結果を信号制御回路ユニットの電圧制御回路及び周波数制御回路に伝送し、電極伝導装置に出力する電気エネルギーの大きさと周波数を制御することにより、電気エネルギーの出力電流と周波数を、音楽の起伏及び現場環境のノイズ変化に合わせて変化させるため、使用において優れた変化性を発揮する。
【００１６】
上述した通り、本考案は、確実に前述した機能及び目的を達成する。よって、本考案は、実用新案の出願要件を満たすため、出願を行う。
【符号の説明】
【００１７】
１０ 音声信号制御変換装置
１１ 信号切換ユニット
１２ マイクロコンピュータ周波数及び信号検出ユニット
１２０ ディスプレイユニット
１３ 信号制御回路ユニット
１３０ 電圧制御回路
１３１ 周波数制御回路
１４ 無線受信器装置
２０ 音声情報装置
２１ 音声受信マイク装置
２２ 音楽再生器装置
２３ 無線発信装置
２３０  無線送信機
２３１  無線音声受信マイク
２３２  無線音響
３０    電極伝導装置
【図１】
0003169714.tif 000003
【図２】
0003169714.tif 000004
【図３】
0003169714.tif 000005
【図４】
0003169714.tif 000006
【図５】
0003169714.tif 000007
【図６】
0003169714.tif 000008